(57)【要約】【課題】磁場を生成するコイルから熱の放散を促進してコイルの変形を阻止することにより、磁場の歪み、従って当該磁場により偏向される電子ビームの位置決め誤差の悪化を阻止する電子ビーム制御装置を提供すること。【解決手段】電子ビーム制御装置は、電子ビームの通路を画成し、かつ該通路を通過する際該電子ビームに作用を及ぼす磁場を生成するよう作動するコイルを担持するコイルフレームを有し、前記コイルフレームは、少なくとも前記コイルが存在する領域では、高強度、非磁性かつ電気絶縁性のセラミック材料から構成されると共に、該セラミック材料は、準連続運転時の該コイルによる所定の熱出力に関し、前記生成される磁場の歪みを引き起こすほどの該コイルの熱膨張をほぼ阻止する速度で熱を放散させるよう選択される熱伝導率及び熱膨張係数を有する。【選択図】　　　　　図３
2004006370.tif 000002
【特許請求の範囲】
【請求項１】
電子ビームの通路を画成し、かつ該通路を通過する際該電子ビームに作用を及ぼす磁場を生成するよう作動するコイルを担持するコイルフレームを有し、
前記コイルフレームは、少なくとも前記コイルが存在する領域では、高強度、非磁性かつ電気絶縁性のセラミック材料から構成されると共に、該セラミック材料は、準連続運転時の該コイルによる所定の熱出力に関し、前記生成される磁場の歪みを引き起こすほどの該コイルの熱膨張をほぼ阻止する速度で熱を放散させるよう選択される熱伝導率及び熱膨張係数を有すること
を特徴とする電子ビーム制御装置。
【請求項２】
前記熱伝導率は、５０Ｗｍ／℃より大きく、及び前記熱膨張係数は、６．０×１０−６／℃より小さいこと
を特徴とする請求項１に記載の装置。
【請求項３】
前記セラミック材料は、機械加工可能な窒化アルミニウムセラミックスから形成されること
を特徴とする請求項１又は２に記載の装置。
【請求項４】
前記コイルフレームは、その全体が、前記セラミック材料から形成されること
を特徴とする請求項１〜３の一に記載の装置。
【請求項５】
前記コイルフレームは、前記通路を挟む２つの側部に、それぞれ、直径方向に互いに対向するよう配置され、かつそれぞれ生成する磁場に関し相反的ないし相互作用的（ｒｅｃｉｐｒｏｃａｌ）な作用を有すよう作動するコイルの対を担持すること
を特徴とする請求項１〜４の一に記載の装置。
【請求項６】
前記コイルフレームは、前記コイル対に対し直交方向に配置される他のコイル対を担持すること
を特徴とする請求項５に記載の装置。
【請求項７】
前記一又は複数のコイルは、前記コイルフレームのスロット受容部内に配設されること
を特徴とする請求項１〜６の一に記載の装置。
【請求項８】
前記コイルフレームを複数有すると共に、該複数のコイルフレームの各々に担持される前記一又は複数のコイルが、前記通路の軸方向に順次並んで配列されるよう該複数のコイルフレームが配置されること
を特徴とする請求項１〜７の一に記載の装置。
【請求項９】
前記複数のコイルフレームは、外側コイルフレームと、該外側コイルフレーム内に配置される内側コイルフレームとから構成され、該内側コイルフレームに担持される一又は複数のコイルは、該外側コイルフレームに担持される一又は複数のコイルにより生成される一又は複数の磁場による作用とは異なる作用を前記電子ビームに及ぼす一又は複数の磁場を生成するよう作動すること
を特徴とする請求項１〜８の一に記載の装置。
【請求項１０】
前記電子ビームの進路を偏向する偏向ユニットとして構成されること
を特徴とする請求項１〜９の一に記載の装置。
【発明の詳細な説明】
【０００１】
【発明の属する技術分野】
本発明は、電子ビーム制御装置に関し、とりわけコイルを担持するコイルフレーム（ｃｏｉｌ　ｆｏｒｍｅｒ）を有する電子ビーム制御装置に関する。
【０００２】
【従来の技術】
磁場を生成するための電気コイルは、とりわけ、電子ビームリソグラフィ装置、電子顕微鏡又は種々の目的のために電子ビームを生成し利用するその他の装置において電子ビームの進路に作用を及ぼす（制御する）ために、広く使用されている。そのため、例えば、基板上にＩＣ回路デザイン等のパターンを描画する目的で偏向状態が制御されるビームを生成するリソグラフィ装置では複数の偏向コイルが使用される。
【０００３】
【発明が解決しようとする課題】
そのようなコイルを準連続運転（短い休止時間を介して断続的ではあるが連続状態に準ずる状態での運転）することにより、コイルワイヤにオーム熱が生成し、従って、かなり大きな熱出力が生じる（発熱する）。既知のコイルは、従来、熱伝導が比較的乏しく、ワイヤによる熱の蓄積が相当大きくなるプラスチック材料のコイルフレームによって担持される。その結果引き起こされるワイヤの温度の上昇により、コイルフレームには、とりわけ何重にも巻かれている場合の、コイルの膨張、及びその他のストレスが生じ、そのため磁場が歪んでしまう。このような磁場の歪みは、基板上でのビームのスポット位置の正確さを低下させ、そしてこの正確さの低下により、ビームにより描画されるパターンの公差ないし誤差（ｔｏｌｅｒａｎｃｅ）は大きくなる。パターンの特徴が精細になればなるほど、コイル、とりわけコイルを担持するコイルフレーム内のコイルの熱印加（蓄積）に起因するビームの（スポット）位置誤差による描画精度への影響はより大きくなる。
【０００４】
それゆえ、本発明の（第一の）課題は、コイルワイヤの加熱（発熱）の影響を受け難く、従ってビーム位置決め誤差の原因と成り難いコイルフレームを有する電子ビーム制御装置を提供することである。本発明の他の課題及び利点は、以下の説明から明らかとなる。
【０００５】
【課題を解決するための手段】
上記の（第一の）課題を解決するために、本発明の一視点によれば、電子ビームの通路を画成し、かつ該通路を通過する際該電子ビームに作用を及ぼす磁場を生成するよう作動するコイルを担持するコイルフレームを有し、前記コイルフレームが、少なくとも前記コイルの領域では、高強度、非磁性かつ電気絶縁性のセラミック材料から構成されると共に、該セラミック材料は、準連続運転（ｑｕａｓｉ−ｃｏｎｔｉｎｕｏｕｓ　ｏｐｅｒａｔｉｏｎ）時の該コイルによる所定の熱出力（発熱）に関し、前記生成される磁場の歪みを引き起こすほどの該コイルの熱膨張をほぼ阻止する速度で熱を放散させるよう選択される熱伝導率及び熱膨張係数を有することを特徴とする電子ビーム制御装置が提供される（形態１・基本構成）。
【０００６】
【発明の実施の形態】
以下に、本発明の好ましい実施の形態を示すが、これらは従属請求項の対象でもある。
（２）　上記の電子ビーム制御装置において、前記熱伝動率は、５０Ｗｍ／℃より大きく、及び前記熱膨張係数は、６．０×１０−６／℃より小さいことが好ましい（形態２）。
（３）　上記の電子ビーム制御装置において、前記セラミック材料は、機械加工可能な窒化アルミニウムセラミックスから形成されることができる（形態３）。
（４）　上記の電子ビーム制御装置において、前記コイルフレームは、その全体が、前記セラミック材料から形成されることができる（形態４）。
（５）　上記の電子ビーム制御装置において、前記コイルフレームは、前記通路を挟む２つの側部に、それぞれ、直径方向に互いに対向するよう配置され、かつそれぞれ生成する磁場に関し相反的ないし相互作用的な（ｒｅｃｉｐｒｏｃａｌ）作用を有するよう作動するコイルの対を担持することができる（形態５）。
（６）　上記の電子ビーム制御装置において、前記コイルフレームは、（形態５の）前記コイル対に対し直交方向に配置される他のコイル対を担持することができる（形態６）。
（７）　上記の電子ビーム制御装置において、前記一又は複数のコイルは、前記コイルフレームのスロット受容部内に配設されることができる（形態７）。
（８）　上記の電子ビーム制御装置において、前記コイルフレームを複数有すると共に、該複数のコイルフレームの各々に担持される前記一又は複数のコイルが、前記通路の軸方向に順次並んで配列されるよう該複数のコイルフレームが配置されることが好ましい（形態８）。
（９）　上記の電子ビーム制御装置において、前記複数のコイルフレームは、外側コイルフレームと、該外側コイルフレーム内に配置される内側コイルフレームとから構成され、該内側コイルフレームに担持される一又は複数のコイルは、該外側コイルフレームに担持される一又は複数のコイルにより生成される一又は複数の磁場による作用とは異なる作用を前記電子ビームに及ぼす一又は複数の磁場を生成するよう作動することができる（形態９）。
（１０）　上記の電子ビーム制御装置は、前記電子ビームの進路を偏向する偏向ユニットとして構成されることが好ましい（形態１０）。
【０００７】
本発明の装置は、−適切なセラミック材料の硬さ（ｈａｒｄｎｅｓｓ）に基づき−製造の比較的容易さを代償として、コイル及びコイルフレームの膨張の問題を克服するのに効果的なコイルフレーム材料を採用する。しかしながら、熱特性により得られる利益は、コイルフレームの製造時間や機械加工費用が余分にかかることに比べると著しく大きい。従来は、例えばパターン描画装置において生じる長時間にわたる使用中に膨張が生じるというコイルの熱蓄積による不利な影響に対する認識が欠如していたため、成形及び機械加工が容易でかつ十分な電気絶縁性、非磁性、熱抵抗性及び熱膨張特性を有するが、周囲への熱の放散のための熱伝導能が比較的小さい硬質プラスチック（ｈａｒｄ　ｐｌａｓｔｉｃｓ）等の材料が好んで使用された。他の材料の研究も引き続き行われていたが、これは機械加工特性を目的ないし過剰に重要視したため、必要とされる大きな熱伝導率と小さい熱膨張係数を有するコイルフレームは、これまでのところ（本発明以前には）達成（想到）されていない。
【０００８】
コイルフレーム材料の熱伝導率は、ほぼ５０Ｗｍ／℃より大きく、熱膨張係数はほぼ６．０×１０−６より小さいことが好ましい。これらの値をとることにより、パターン描画プロセス中電子ビームの偏向を引き起こすようほぼ連続的（常時）に作動（準連続運転）されるコイルによって通常生成される熱が確実にコイルから消散されるため、コイルの膨張は生じず、同時に、消散（ないし伝導）される熱は、コイルフレーム自体に対しては何等影響を与えないか、与えたとしても無視できるほどのものでしかない。
【０００９】
セラミック材料は、機械加工が容易な窒化アルミニウムセラミックス（例えばＳＨＡＰＡＬ−Ｍ（登録商標））から形成されることが好ましく、これは、従来通り、コイルフレーム全体の製造に使用することも可能である。しかしながら、とりわけフレーム全体の大きさに比べてコイルの大きさが小さい場合、コイルフレームの一部（特にコイルが存在する部分）のみをセラミック材料から製造しても良い。
【００１０】
偏向コイルのコイルフレームの配置自体は、公知の形態において行うことができる。本発明の装置の好ましい一実施形態では、コイルフレームは、（電子ビームの）通路の両側（電子ビームの通路を挟む２つの側部）に、互いに直径方向に対向するようそれぞれ配設され、かつそれぞれ生成される磁場に関し相反的ないし相互作用的（ｒｅｃｉｐｒｏｃａｌ）作用を有するように作動可能に構成される（第一の）コイルの対を担持する。（レシプローカルとは、例えば、一対のコイルの一方により生成される磁場の大きさがある特定の量だけ増加すると、他方のコイルにより生成される磁場の大きさは同じ量だけ減少して電子ビームの偏向作用を生ずるよう相互に作用し合うことをいう。この場合、特に当該２つの磁場が互いに向い合う関係の状態を含む。）このような（コイルの）配置は、１つの面（ないし方向）での電子ビームの偏向には十分に機能するが、（当該１つの面に加えて）更に一又は複数の面（ないし方向）での偏向が必要とされる場合は、コイルフレームは、上記（第一の）コイル対（の中心軸方向）に対し直交方向に配設される他の（第二の）コイル対を担持するよう構成されることも可能である。これら２つのコイル対は、電子ビームが所望のどの方向（例えばｘ，ｙ面内の任意の方向）にも偏向され得るように、生成される磁場を変化させるために、供給される電流値を選択的に変化させることにより適切に制御可能に構成される。
【００１１】
１つのコイル、場合によっては複数の（全ての）コイルは、コイルフレームのスロット受容部（レセプタクル）（ｓｌｏｔ　ｒｅｃｅｐｔａｃｌｅ）内に配設可能であり、当該一又は複数のスロット受容部は、コイルフレームに形成される互いに交差する複数の溝（切込みスリット：ｉｎｃｉｓｉｏｎ）により構成することができる。当該複数の溝は、セラミック材料に切れ目（刻み目）を入れることによって形成することができ、これは、工具を使用するものの、好適な硬（超硬）又は焼き入れ精密加工用鋸（ｐｒｅｃｉｓｉｏｎ　ｓａｗ）ないしワイヤーカット法その他の精密加工法によって容易に行なうことができる。
【００１２】
本発明の一発展形態では、電子ビーム制御装置は、複数のコイルフレームを有し、該複数のコイルフレームにそれぞれ配される一又は複数のコイルは、電子ビームの通路の軸方向に順次並んで（該コイルを担持するコイルフレームが並ぶ順に）配置され得る。この場合、例えば、まず電子ビームを一の方向へ偏向させ、次にその（偏向された）電子ビームを（当該一の方向と）反対方向に再び偏向させることにより、電子ビームをフォーカシングレンズの中心を所望の角度で通過させることが可能となる（同時に螺旋歪みも除去される）。更に、複数のコイルフレームは、外側コイルフレームと、該外側コイルフレーム内に配置される内側コイルフレームを含むよう構成されると共に、該内側コイルフレームによって担持される一又は複数のコイルが、該外側コイルフレームによって担持される一又は複数のコイルにより生成される一又は複数の磁場による作用（影響）とは異なる作用（影響）を電子ビームに及ぼす一又は複数の磁場を生成するよう作動することも可能である。（電子ビームに対する）この異なる作用は、例えば、電子ビームの大略（疎）位置決め及び精密位置決めのためビーム偏向運動の速度を異なったものとするような場合に有用である。
【００１３】
【実施例】
本発明の実施例を図面を参照して詳細に説明する。なお、以下の実施例は、発明の理解の容易化のためのものであり、本発明の技術的思想を逸脱しない範囲において当業者により実施可能な修正・変更等を排除することは意図しない。また、特許請求の範囲に付した図面参照符号も、発明の理解の容易化のために過ぎず、本発明を図示の態様に限定することは意図しない。なお、これらの点に関しては、補正・訂正後においても同様である。
【００１４】
図１に、ＩＣ（集積回路）のレイアウトその他の所望のパターンを描画するために基板表面のスキャン（走査）を可能にするように電子ビームを偏向するための偏向ユニットの、パターン描画装置の電子ビームカラム内部における配置関係の一例を概略的に示した。偏向ユニットのこのような使用
（目的）は、単なる例示に過ぎず、当該ユニットは、他の目的で電子ビームを偏向するために使用することもできる。
【００１５】
図１の実施例では、カラム（鏡筒ないしハウジング）−これは鉛直方向に配向する−は、カラム鉛直中心軸Ａに沿って伝播させるため所望のエレクトロンボルト（ｅｌｅｃｔｒｏｎ　ｖｏｌｔａｇｅ：エネルギ）を有する電子ビームＥＢを生成する電子銃ＥＧ、従来の３つのレンズ列Ｃ１、Ｃ２、及びＣ３によるフォーカシング機構、及び運動可能に載置される基板Ｓの適切に調製された描画表面にスポットを形成するための電子ビームの進路上に配設される複数のスプレーアパーチャ（絞り）（ｓｐｒａｙ　ａｐｅｒｔｕｒｅｓ）（不図示）を有する。偏向ユニットＤは、レンズ列の第二レンズＣ２と第三（終端）レンズＣ３との間に配設され、合焦されたビームスポットにより基板表面に目的のパターンを領域毎（詳しくは、パターンは、複数のメイン領域に分けられ、該メイン領域は、それぞれ、更に複数のサブ領域に分けられる）に移動しつつ各領域毎に描画するために、例えば異なる２つのレート（ないし速度：ｒａｔｅｓ）で、電子ビームの方向を制御しつつ偏向するよう作動する。例えば１００ｋＨｚの低速（低周波数）偏向は、例えば最小でも２０ミクロン（ミリメートル）程度のスポットの大略（疎）位置決めを行なう、１つのメイン領域の複数のサブ領域間におけるビームスポットの移動に使用される、例えば２５ＭＨｚの高速（ないし高周波数）偏向は、この場合２０ミクロン（マイクロメートル）の範囲（レンジ）内でパターンの特徴を描画する、各サブ領域内でのスポットの精密移動（走査）に使用される。ビームの偏向は、一般に、シーケンス（逐次）プロセスで行なわれる。例えば、図１に破線で描いたビーム経路Ａ’で示したように、電子ビームは、まず、所定の第一角度をなしてカラム軸Ａから離れるように曲げられ、そして、第一角度より大きい所定の第二角度（これは、偏向ユニットＤのとりわけ第三レンズＣ３に対する位置関係に依存した要因に基づく）をなして再びカラム軸Ａに向って曲げられる。偏向プロセスは、電子ビームにほぼ螺旋状の進路を取らせるようなねじり（ツイスト）効果（ｔｗｉｓｔｉｎｇ　ｅｆｆｅｃｔ）を有しうる。ビーム偏向によって達成可能なビームスポットの最大の変位は、典型的には、０．８ｍｍであるが、この変位の大きさ（範囲）より大きい変位（量）は、カラム軸（Ａ）に対する基板自体の運動により得られる。
【００１６】
図２に示した、必要とされる二段階のレートないし速度によりビーム偏向（低速及び高速偏向）を行う偏向ユニットは、（複数の）磁場の大きさを変化させることにより、電子ビームの進路（ビーム路）をカラム軸に対し離隔・近接させるよう作動するよう構成される。この（複数の）磁場は、直径方向に対向して特定の状態で軸の周りに配設される複数の（例えば２対で計４つの）コイルを一セット（コイルセット）とした、軸方向に離隔して配設される複数のコイルセットによって生成される。そして、各コイルセット中の対向配置するコイル（対）は、以下に詳しく述べるような所望のビーム偏向を可能とするように、例えば、（生成される）磁場の大きさが一方の（コイルの）側では増加され、他方の（コイルの）側では減じられるように相反的な（ｏｐｐｏｓｉｔｅ）態様で制御される。これらコイルは、図２に示した実施例では、２つの同軸中空シリンダ状内側フレーム１１ａ、１１ｂと２つの同軸中空シリンダ状外側フレーム１２ａ、１２ｂとから構成されるコイルフレームアセンブリ１０によって担持される。外側フレーム１２ａ、１２ｂは、相補的な径小部（外側段差部）とスリーブ突出部１３によって互いにスリーブ接続され、外側フレーム１２ａ、１２ｂの各々の内部には、対応する内側コイルフレーム１１ａ、１１ｂを受容するリセス（内側段差部）１４を形成するよう段差が付けられる。内側フレーム１１ａ、１１ｂは、互いに対し及び外側フレーム１２ａ、１２ｂに対し一定の角度関係をなすようそれぞれ対応するリセス１４内にキーイング（キー嵌め：ｋｅｙｉｎｇ）によって固定（配設）される。アセンブリ１０は、上端部、即ち電子ビーム入射端部において、カラム（ハウジング）内の取付部に該カラムに対し一定の角度関係でアセンブリ１０をキーイング（キー嵌め：ｋｅｙｉｎｇ）によって固定ないし位置決めする固定リング１５によって終端される。これらフレームと固定リングは、例えばシアノアクリレートその他の適切な耐熱性接着剤によって互いに接着される。
【００１７】
組み立てられたアセンブリ−これは、コイルを組み込んだ後、電気絶縁性のボンディング（被覆）材料によってカプセル（被覆）化することもできる−は、径が一定の連続的な貫通孔１６を有するシリンダ形状をなす。この貫通孔１６は、各コイルフレームの嵌め合せボア（各中心貫通孔）から形成され、電子ビームの通路を画成する。偏向ユニット組み込まれた状態では、貫通孔１６の軸１７は、カラムの鉛直軸と重なる（一致する）。なお、図２の実施例では、内側フレーム１１ａと外側フレーム１２ａで第１の組み（上部組み）を、さらに内側フレーム１１ｂと外側フレーム１２ｂで第２の組み（下部組み）を夫々なし、第１、第２の組みがスリーブ嵌合して、偏向ユニットを構成する。
【００１８】
コイルフレームの各々は、ほぼ方形又は矩形状に巻き回され直径方向に対向配置し半径方向の内側に位置する２つの内側コイル（内側コイル対）１８と、該内側コイル（対）１８に対し９０°の角度をなして配置し、ほぼ方形又は矩形状に巻き回され直径方向に対向配置し半径方向の外側に位置する２つの外側コイル（外側コイル対）１９とを収容する。各コイルは、対応するコイルフレームのシリンダ壁のセグメントに、コイルの輪郭によって規定される方形ないし矩形の一方の対辺が、コイルフレームのシリンダ（長手）軸と平行に延在し、かつ他方の対辺が、コイルフレームの周方向に延在するような配向をとるように位置するよう配設される。各コイルは、コイルフレームの周方向に延在する部分が、コイルフレームのほぼ１２０°の弧をなすように延在する。そのため、周方向において、２つの外側コイル１９は、２つの内側コイル１８と、（半径方向から見ると）一部で重なり合うが、このコイルの重なり合う部分は互いに電気的に分離（絶縁）されている。更に、内側コイルフレーム１１ａ、１１ｂの各コイルセット（１８＋１９）は、外側コイルフレーム１２ａ、１２ｂの各コイルセット（１８＋１９）に比べると、各コイルフレームの（シリンダ）軸に対し半径方向の多少より近くに位置する。電子ビームに対するコイルの距離が近いほど、達成可能なビーム偏向の感度はより大きくなる。
【００１９】
コイルフレームの１つ、とりわけ下部外側コイルフレーム１２ｂにおける（複数の）コイルの形状及び重畳状態は、図３（斜視図）から明確に見出すことができる。
【００２０】
４つのコイルフレーム及び該コイルフレームにそれぞれ担持される４つのコイルセットの相対的配置は、カラム内に組み込まれたときの偏向ユニットの鉛直方向に関し、電子ビームの進行（伝播）方向に見て、内側フレーム（複数）の第一ないし上部フレーム１１ａのコイルセット（１８＋１９）には、外側フレーム（複数）の第一ないし上部フレーム１２ａのコイルセット（１８＋１９）が後続し、これには、更に、内側フレーム（複数）の第二ないし下部フレーム１１ｂのコイルセット（１８＋１９）が後続し、これには、最後に、外側フレーム（複数）の第二ないし下部フレーム１２ｂのコイルセット（１８＋１９）が後続する。このようにして軸方向に離隔して配置される２つの内側コイルフレーム１１ａ、１１ｂの各コイルセット（１８＋１９）は、精密ないしサブ領域スキャニング（走査）のため電子ビームを偏向する機能が割当てられ、軸方向に離隔して配置される２つの外側コイルフレーム１２ａ、１２ｂの各コイルセット（１８＋１９）は、大略（疎）ないしメイン領域スキャニング（走査）のため電子ビームを偏向する機能が割当てられる。以下の説明では理解の容易化のため、４つのコイルフレームは、それぞれ、上部サブ領域（走査用）コイルフレーム１１ａ、下部サブ領域（走査用）コイルフレーム１１ｂ、上部メイン領域（走査用）コイルフレーム１２ａ、下部メイン領域（走査用）コイルフレーム１２ｂと称する。
【００２１】
電子ビームの偏向は、１つのコイルフレーム中の一方の対向コイル対１８又は１９の２つのコイルに対する励磁の相反的（ないし相互作用的：ｒｅｃｉｐｒｏｃａｌ）変化及び／又は当該コイルフレーム中の他方の対向コイル対１９又は１８の２つのコイルに対する励磁の相反的変化、によって達成される。この場合、電子ビームは、カラム軸に対する、相反的変化の程度に依存して与えられる角度及び各コイル間の相対的挙動（励磁態様）に依存して与えられる３６０°の範囲内での方向での磁場の作用によって偏向される。例えば、一つのコイル対１８又は１９の２つのコイルのみにおける（相対的）挙動（励磁態様）によって、０°又は１８０°−これは基準の設定によって任意に選択し得る−の方向への偏向を行ない、他方のコイル対１９又は１８の２つのコイルのみにおける（相対的）挙動（励磁態様）によって、９０°又は２７０°の方向への偏向を行なうことができるが、２つのコイル対１８及び１９の各（４つの）コイルにおける挙動（励磁態様）を選択（調節）することにより、３６０°の範囲において所望の任意の角度（方向）での偏向を行うことができる。最初に行なわれる大略（疎）スキャニングのためには、まず、電子ビームを第一の角度をなしてカラム軸から離隔させるよう（反発）付勢するために適するよう、上部メイン領域コイルフレーム１２ａのコイルセットが作用を及ぼされ（励磁され）、その後、電子ビームを当該第一の角度より大きい第二の角度をなしてカラム軸に接近させるよう（誘引）付勢するために、下部メイン領域コイルフレーム１２ｂのコイルセットが反対方向に作用を及ぼされる（励磁される）。そのため、電子ビームは、カラム軸と基板表面との交点から所望のオフセットないし片寄り（大きさ及び方向）で基板表面に入射できるようなカラム軸に対する所定角度（傾き）で終端レンズＣ３の中心（レンズのフォーカシングに関する中心：ｆｏｃａｌ　ｃｅｎｔｒｅ）を通過する。次に、このように大略的に位置合せされたビームスポットは、上部及び下部サブ領域コイルフレーム１１ａ及び１１ｂの各コイルセットを（大略（疎）スキャニングの場合と）同様に順次作用を及ぼす（励磁する）ことよって、実際のパターン描画中に最終的に位置合わせすることができる。（照射）スポットによる精密スキャニングのためのビーム偏向は、例えば電子誘導（電子によって引き起こされる）侵食又は基板表面の電子感受性層におけるその他の変化による描画の目的のためにスポットのドエル点（滞留点）の各々において目的の電子（照射）量を供給するよう選択される予め設定されたクロック速度（レート）で実行される。
【００２２】
上述したような、コイルフレームのコイルの数、配置（コイル相互間の位置関係）及び機能上の相互作用は単なる例示に過ぎず、例えば、使用するカラムの性質及び特定のスキャニング技術に応じ、コイルの数、寸法、形状及び配置（コイル相互間の位置関係）に対する変更の自由度は非常に大きいことをここに強調しておく。
【００２３】
各コイルは、電気絶縁体によって被覆された細銅線の一又は複数の巻線２０又は２１からそれぞれ形成される。（図２の実施例では、）短い距離に亘ってより大きな速度でビーム偏向を行うためのサブ領域コイルフレーム１１ａ、１１ｂのコイルは、それぞれ、一重の巻線（シングル巻線）２０から構成され、より長い距離に亘ってより小さい速度でビーム偏向を行うためのメイン領域コイルフレーム１２ａ、１２ｂのコイルは、それぞれ、多重の巻線（マルチ巻線）２１から構成される。シングル巻線２０は、インダクタンスが小さいので、より大きな速度の供給電流の変化に応答し、その結果、２０ミクロン（マイクロメートル）以内の範囲（レンジ）の小さい増分（増加量）のビームスポット運動を行なうためのより大きい速度のビーム偏向を引き起こす。コイルは、その巻線ワイヤを、対応する方形又は矩形のスロット受容部に挿入することによってメイン領域（外側）コイルフレーム１２ａ又は１２ｂにそれぞれ形成される。このスロット受容部は、（半径方向の）外側に向って開口し長手（軸）方向に配向（延在）する溝（切開部）２２と（半径方向の）外側に向って開口し周方向に配向（延在）する溝（切開部）２３とを交差させることによってコイルフレームに形成されるが、半径方向の内側に位置するコイル１８のための長手方向溝２２の深さは、半径方向の外側に位置するコイル１９のための長手方向溝２２の深さよりも大きくなるよう形成される。サブ領域（内側）コイルフレーム１１ａ、１１ｂの場合は、コイルは、各コイルフレームの（半径方向の）外側に向って開口する長手（軸）方向溝２４と（半径方向の）内側に向って開口する長手（軸）方向溝２５にワイヤを挿入し、そして当該コイルフレームの両端部の段差部２６で周方向に当該ワイヤを掛け回すことにより形成される。溝２２、２３の経路と、該溝に配設されコイル１８、１９を規定する巻線２１を図３に詳細に示した。
【００２４】
各コイルセット中に４つのコイルを配設すること、それら（隣接する）コイルを互いに（部分的に）重畳させること、及びスロット受容部中に（コイルを）挿入することにより、コイルの準連続運転下における周囲のフレーム材料への熱伝導に関する好ましくない状態が生じ、空気の強制流通（循環）又はその他の類似の手段によるコイル及びコイルフレームの冷却の効率が悪化する。そのような状況下でのコイルフレームにおける熱の蓄積（滞留）により、コイルもコイルフレームも膨張したり、その他のストレスを受けたりして、コイルにより生成される磁場に歪みが生じ、その結果、偏向を行うときビームの進路に望ましくない影響（作用）が及ぼされる。これらの好ましくない影響（作用）により、高水準の正確さが命であるパターンの描画にエラー（誤差）が生じる。これらの熱的影響を阻止ないし少なくとも高度に緩和するために、コイルフレームは、それぞれ、高強度（ｈｉｇｈ−ｓｔｒｅｎｇｔｈ）、非磁性かつ電気絶縁性のセラミック材料から形成される。このようなセラミック材料は、大きな熱伝導率及び小さな熱膨張係数に関するパラメータが、機械加工上の要求の充足という他の重要なファクタより上位を占める（優先する）よう選択され、しかも十分に強固な（例えば脆性が小さくかつ亀裂も生じ難い）要素（コイルフレーム）を製造することも可能である。とりわけ好適なセラミック材料としては、ＳＨＡＰＡＬ−Ｍ（登録商標）として販売されている半透明で機械加工可能な窒化アルミニウムセラミックスが挙げられるが、このセラミックスは、好ましくは５０Ｗｍ／℃より大きい範囲の、特に９０〜１００Ｗｍ／℃の大きな熱伝導率を有するが、その熱膨張係数は、４．４〜５．２×１０−６／℃と十分に小さい値を維持する。熱膨張係数は、従来使用されてきたポリエーテルエーテルケトンプラスチック材料の熱膨張係数とほぼ同じであるが、コイルからの熱の放散を促進し、使用中定常的に行なわれる電気抵抗分の加熱（発熱）によるコイルの膨張を大きく低減するために、熱伝導率は、（当該プラスチック材料の熱伝導率より）遥かに大きい。例えばある種の窒化ホウ素等の他のセラミックスも十分な、若しくは一層良好な熱的性質を有し得るが、そのようなセラミック材料からなるコイルフレームの製造及び整備・修理時に引き起こされるストレスに耐えるには機械的強度が不足している。その（大きな）硬さ（ビッカース硬さ５６０）のため、上述の窒化アルミニウムセラミックスは、加工がより容易な他のセラミックスに比べると、その製造に対し幾つかの機械加工上の制約を受ける。棒状の出発セラミック材料は、まず、機械加工ができるように炉で加熱され、外側輪郭及び内側輪郭形状を形成するために旋削及びフライス加工され、その後スロット受容部のための溝２２〜２５を形成するために精密鋸（ｐｒｅｃｉｓｉｏｎ　ｓａｗ）によって切削される。このような硬さにより、加工工具のビットやブレードは比較的急速に消耗するため、より頻繁に交換しなければならなくなる。通常必要とされる部品の数及び上述の熱特性により得られる作動上の大きな利点を考慮すると、そのような欠点は許容可能なものである。また、機械加工がより容易なセラミックスでは、熱膨張係数���小さく維持したままで、必要とされる高水準の熱伝導率は得られない。
【００２５】
従って、上記特定のセラミック材料から製造されたコイルフレームは、それ単独で又はコイルフレームアセンブリに組み込んで使用されて、熱に起因する磁場の歪み（ひずみ）及び当該歪みに起因するパターン描画エラーに対する偏向ユニットの感受性（影響の受けやすさ）を大幅に低減することができる。この利点は、コイルフレームに受容される多重に巻き回された（複数の）コイルセットを有するコイルフレームアセンブリの場合とりわけ顕著であり、コイルからコイルフレーム材料へ及び当該コイルフレーム材料からカラム内の亜大気環境への高速な熱伝導は、その他の方法によるコイルフレームの強力な放熱効果を凌駕するほどである。
【００２６】
【発明の効果】
本発明の独立請求項１により、所定の課題として掲げた効果が上述の通り達成される。即ち、本発明の電子ビーム制御装置は、磁場を生成するコイルから熱の放散を促進してコイルの変形を阻止することにより、運転の際生ずる磁場の歪み、従って当該磁場により偏向される電子ビームの位置決め誤差の悪化を阻止できる（基本構成）。
各従属請求項により、更に付加的な効果がそれぞれ達成される。
【図面の簡単な説明】
【図１】本発明の偏向ユニットの一例が組み込まれた電子ビームカラム（鏡筒）の概念図。
【図２】本発明の偏向ユニットの一例の、部分的に断面が示された立面図。
【図３】本発明の偏向ユニットに複数のコイルが組み込まれたコイルフレームの一例の斜視図。内部が観察できるよう一部除去されている。
【図１】
2004006370.tif 000003
【図２】
2004006370.tif 000004
【図３】
2004006370.tif 000005